(57)【要約】【課題】書物を安定して保持することができ、頁捲りを円滑に行うことができる書見台を提供する。【解決手段】基台１０に、書物２を立て掛けることができる背面部２０と書物の下端部を保持することができる保持部３０とを設けてなる書見台１において、保持部３０を、中央に凹部３１を有し、その凹部から両側に向けて僅かに高くなる傾斜面３２で構成した。保持部中央の凹部に、書物の背表紙の下端部を位置させて立て掛けることで、書物を安定に保持することができる上、頁捲りをスムーズに行うことができる。【選択図】図７
2011172725.tif 000002
【特許請求の範囲】
【請求項１】
基台（１０）に、書物（２）を立て掛けることができる背面部（２０）と、前記書物（２）の下端部を保持することができる保持部（３０）と、を設けてなる書見台（１）であって、
前記保持部（３０）は、中央に凹部（３１）を有し、該凹部（３１）から両側に向けて僅かに高くなる傾斜面（３２）で構成されたことを特徴とする書見台。
【請求項２】
前記基台（１０）の後方に、複数の溝からなる多段係止部（１１）を設け、該多段係止部（１１）に係止可能な支持部材（２１）を、前記背面部（２０）の裏側に回動可能に設けたことを特徴とする請求項１に記載の書見台。
【請求項３】
前記保持部（３０）の前方に、前記背面部（２０）に向けて起倒可能なアーム（４０）を設けたことを特徴とする請求項１又は請求項２に記載の書見台。
【請求項４】
前記アーム（４０）は、ばね（４１）を介して前記基台に取り付けられたものであることを特徴とする請求項３に記載の書見台。
【発明の詳細な説明】
【技術分野】
【０００１】
本発明は、書物を立て掛けて使用する書見台に関し、特に、書物を安定に保持することができ、頁を円滑に捲ることができる書見台に関する。
【背景技術】
【０００２】
書物を自然な姿勢で読むことができるように、書見台は、基台に、書物を見開き状態で立て掛けることのできる大きさの背面部を傾斜状に設け、その前方に書物の下端部を係止させるための保持部を僅かに起立させた形態のものが一般的である。
このような書見台において、特許文献１のように、書物の厚さに応じて、背面部と保持部との間隔を調節できるようにする技術、特許文献２のように、基台を手前に向けて高くなるように傾斜させて書物の下端部が当接する部位に滑り止め溝を設ける技術、或いは背面部の傾斜角度を調節可能にする技術が提案されている。
【０００３】
【特許文献１】特開平０９−２９９１５５号公報
【特許文献２】特開平１１−１６９２３６号公報
【発明の概要】
【発明が解決しようとする課題】
【０００４】
しかしながら、特許文献１の書見台の場合、頁を頻繁に捲りながら書物を読む場合は、背面部と保持部との間隔にゆとりを持たせた状態で使用されることが多く、頁を捲る際に書物が左右に傾き、その拍子に書見台から外れ落ちてしまうことがあった。特に、見開いた際に左右の厚みの差が大きい場合は、安定して書物を保持することが難しかった。
特許文献２の書見台の場合は、安定保持できなかったり、頁捲りの際に傾いてしまったりするという欠点に加え、頁の下端部が滑り止め溝に引っ掛かり、円滑に頁を捲ることができないという問題もあった。
【０００５】
そこで、本発明は、書物を安定して保持することができ、頁捲りを円滑に行うことができる書見台の提供を目的とする。
【課題を解決するための手段】
【０００６】
上記課題を解決するために、本発明に係る書見台は、基台に、書物を立て掛けることができる背面部と、前記書物の下端部を保持することができる保持部と、を設けてなる書見台であって、前記保持部は、中央に凹部を有し、該凹部から両側に向けて僅かに高くなる傾斜面で構成されたことを特徴とするものである。
【０００７】
この場合、前記基台の後方に、複数の溝からなる多段係止部を設け、該多段係止部に係止可能な支持部材を、前記背面部の裏側に回動可能に設けてもよい。
また、前記保持部の前方に、前記背面部に向けて起倒可能なアームを設けてもよい。
この場合、前記アームは、コイルばねを介して前記基台に取り付けられたものであってもよい。
【発明の効果】
【０００８】
請求項１に係る書見台は、中央に凹部を有し、その凹部から両側に向けて僅かに高くなる傾斜面で構成された保持部において、書物の下端部を受けるように構成されているので、保持部中央の凹部に、書物の背表紙の下端部を位置させて立て掛けることで、書物を安定に保持することができる。
また、書物の下端部が、中央の凹部から両側に向けて僅かに高くなる傾斜面にて保持されるので、立て掛けられた書物の頁を捲る際に、頁が傾斜面に導かれ、滑らかに反対側へと移動させることができる。
【０００９】
:
請求項２に記載の書見台は、基台の後方に、複数の溝からなる多段係止部を設け、その多段係止部の何れかの溝に、背面部裏側の支持部材を係止させるので、背面部を所望の角度に傾けることができる。
請求項３に記載の書見台は、背面部に向けて起倒可能なアームを、保持部の前方に設けたので、アームの先端を背面部側に接近させることにより、意図せず頁が捲れてしまうのを防止できる。
【００１０】
請求項４に記載の書見台は、アームを、コイルばねを介して基台に取り付けるようにしたので、頁を捲る際の干渉を避けるために倒したアームを、自動的に初期位置に復帰させることができる。
【図面の簡単な説明】
【００１１】
【図１】本発明の実施形態に係る書見台を示す斜視図である。
【図２】上記書見台の正面図である。
【図３】上記書見台の背面図である。
【図４】上記書見台の平面図である。
【図５】上記書見台の側面図である。
【図６】上記書見台に書物を立て掛けた状態を示す正面図である。
【図７】上記書見台の使用状態を示す斜視図である。
【図８】上記書見台の変形例を示す斜視図である。
【発明を実施するための最良の形態】
【００１２】
本発明の好適な実施形態について、添付図面に基づいて説明する。なお、実施形態は以下の形態に限定されるものではなく、本発明の課題を解決しうるものであれば他の態様も実施可能である。
図１は、本発明の実施形態に係る書見台１を示す斜視図である。図２〜図５は、正面図、背面図、側面図及び平面図である。
【００１３】
この書見台１は、図６に示すように、書物２を立て掛けて自然な姿勢で読むことができるようにするためのもので、基台１０に、書物２を見開き状態で立て掛けることのできる大きさの背板２０を設け、その前方に書物２の下端部を受けるための保持部３０を設け、さらにその前方にアーム４０を設けて構成される。
基台１０は、書物の重量に耐え、卓上に安定して載置可能な面積及び重量を有し、中央部が後方に向けて延びるＴ字形状に形成されている（図５を参照）。
【００１４】
基台後方のＴ字状に延びた部位（多段係止部１１）には、複数の溝１２が平行に設けられている。この溝１２は、背板２０を支持するための支持部材２１を係止させるためのもので、何れかの溝１２に、支持部材２１の脚部２１ａを係止させることで、背板２０の傾きを段階的に調節できるようになっている。
基台１０の両側には、背板２０を回動可能に取り付けるための枢支部１３が設けられている。
【００１５】
枢支部１３を介して基台１０に取り付けられた背板２０は、書類や書籍を立て掛けるための部位であり、見開き状態で書物を保持できるように、Ａ４版サイズ、Ｂ５版サイズ、菊版サイズ、四六版サイズなど、書物のサイズに応じた大きさになっている。
背板２０の裏面には、多段係止部１１に係止させることで、背板２０を所望の角度で支持するための支持部材２１が回動可能に取り付けられている。
【００１６】
背板２０の前方には、書物２の下端部を保持するための保持部３０が設けられている。
この保持部３０は、中央に凹部３１を有し、その凹部３１から両側に向けて僅かに高くなる傾斜面３２で構成されている（図２を参照）。
凹部３１は、見開いた状態の書物の背表紙部を受ける部位である。このように、保持部３０の中央に凹部３１を設けることによって、書物の厚みによる背表紙部の干渉を避けることができ、見開いた状態の書物を安定に保持できるようになる。
【００１７】
凹部３１の両側は、両端部に向けて僅かに高くなる傾斜面３２となっている。
凹部３１で背表紙部を受けた状態で、左右の傾斜面３２において書物を保持することで、傾斜状の背板２０に立て掛けられた書物の頁の下端部を安定に保持することができる。そして、頁を捲る際には、傾斜面３２に導かれて頁を円滑に反対側へと移動させることができる。
傾斜面３２の斜度θは、２度〜１５度程度が好ましく、斜度θが３０度を超えると、頁の側縁部が保持部３０に干渉し、頁捲りに支障を来たすようになる。
【００１８】
保持部３０の前方には、背板３０に向けて起倒可能なアーム４０が設けられている。
このアーム４０は、基台１０に設けられた枢止部４１を中心に、背板２０に向けて回動するようになっており、アーム４０を背板側に起こすことで、書物をセットして頁の捲れを防止し、アーム４０を前方に倒すことで、頁を捲り易くしたり、書物を書見台１から取り外し易くできる。
上記構成の書見台１の使用状態を説明する。
【００１９】
先ず、背板２０の裏側の支持部材２１を回動させ、多段係止部１１の所望の溝に係止させる。そして、所望の傾斜状態となった背板２０に書物２を立て掛け、その下端部を保持部３０において受ける（図７を参照）。この際、書物２の背表紙部３を、凹部に３１に位置させた状態で書見台１にセットする。
そして、アーム４０を背板２０側に向けて回動し、書物２がずり落ちないようにする。    この場合、意図せずに頁が捲れてしまうのを防止するために、背板２０に接近させて頁をしっかり押えるようにしてもよいし、頁捲りの度にアーム４０の操作をしなくて済むように、背板２０からアーム４０を離し、ゆとりを持たせてもよい。
【００２０】
書物２の背表紙部３の下端部は、保持部３０の中央の凹部３１で受けられており、左右の表紙部及び頁は、凹部３１から両側に向けて上昇する傾斜面３２で保持されるので、厚みのある書物２であっても、背表紙部３の部位の重みを吸収し、書物２を安定して保持することができる。
また、束状の頁が両側に行くにつれて傾斜面３２に沿ってバラされた状態になるので、頁を捲る際には、頁が傾斜面３２に導かれるようにして、滑らかに反対側へと移動させることができる。
【００２１】
なお、本発明において、保持部３０の凹部３１は窪みを有する形状であればよく、図８に示す凹部３１’、３１”のように、Ｖ字型であっても、Ｕ字型であっても構わない。また、傾斜面３２は、図（ｂ）に示す傾斜面３２”のように、凹部３１”から連続的に保持部３０の両側へと向かっていてもよい。
また、背板２０は、傾斜状態を変えることができない構造であってもよいし、多段係止機部１１の機構は如何なるものであってもよい。
【００２２】
また、アーム４０は存在しなくても良いし（図８（ａ）を参照）、図８（ｂ）に示すアーム４０”ように、コイルばね４２を介して基台１０に取り付けられたものであってもよい。  このように、ばねの弾性復元力を利用すれば、頁を捲る際に倒したアームを、自動的に初期位置に復帰させることができるようになり、楽譜用の書見台１としてピアノの譜面台などに応用した際に、片手で容易に頁捲りを行うことが可能となる。
【産業上の利用可能性】
【００２３】
本発明は、事務用に限らず、あらゆる産業分野において、図面、文書などを記載した書面や書籍を見る際に使用する書見台に適用することができる。
【符号の説明】
【００２４】
１・・・書見台
２・・・書物
３・・・背表紙
１０・・・基台
１１・・・多段係止部
１２・・・溝
１３・・・枢支部
２０・・・背板（背面部）
２１・・・支持部材
３０・・・保持部
３１、３１’、３１”・・・凹部
３２、３２”・・・傾斜面
４０、４０”・・・アーム
４１・・・枢支部
４２・・・コイルばね
【図１】
2011172725.tif 000003
【図７】
2011172725.tif 000004
【図８】
2011172725.tif 000005
【図２】
2011172725.tif 000006
【図３】
2011172725.tif 000007
【図４】
2011172725.tif 000008
【図５】
2011172725.tif 000009
【図６】
2011172725.tif 000010